(57)【要約】【課題】省電力状態において負荷に供給する電圧を効率良く生成することが可能な電源供給装置を提供すること。【解決手段】第１モードと第２モードとの何れかで負荷に電源を供給する電源供給装置であって、外部電源から第１電圧を生成する第１電圧生成手段と、前記第１電圧生成手段に接続され、前記第１電圧が第２電圧以上で動作して所定の電圧を生成して前記負荷に供給する第２電圧生成手段と、前記第１電圧生成手段に接続され、前記第１電圧から所定の電圧を生成して前記負荷に供給する第３電圧生成手段と、前記第１電圧生成手段が生成する前記第１電圧を、前記第１モードでは前記第２電圧以上に、前記第２モードでは前記第２電圧未満に制御する制御手段と、を備え、前記第１モードでは前記第２電圧生成手段及び前記第３電圧生成手段の少なくとも一方から前記負荷に電源を供給し、前記第２モードでは前記第３電圧生成手段から前記負荷に電源を供給する電源供給装置。【選択図】図１
2013176245.tif 000002
【特許請求の範囲】
【請求項１】
第１モードと第２モードとの何れかで負荷に電源を供給する電源供給装置であって、
外部電源から第１電圧を生成する第１電圧生成手段と、
前記第１電圧生成手段に接続され、前記第１電圧が第２電圧以上で動作して所定の電圧を生成して前記負荷に供給する第２電圧生成手段と、
前記第１電圧生成手段に接続され、前記第１電圧から所定の電圧を生成して前記負荷に供給する第３電圧生成手段と、
前記第１電圧生成手段が生成する前記第１電圧を、前記第１モードでは前記第２電圧以上に、前記第２モードでは前記第２電圧未満に制御する制御手段と、を備え、
前記第１モードでは前記第２電圧生成手段及び前記第３電圧生成手段の少なくとも一方から前記負荷に電源を供給し、前記第２モードでは前記第３電圧生成手段から前記負荷に電源を供給する
ことを特徴とする電源供給装置。
【請求項２】
前記第１電圧生成手段と前記第３電圧生成手段との間の接続を、前記制御手段により導通状態と遮断状態とに切り換えられる切換手段を備え、
前記制御手段は、前記切換手段を前記第１モードでは遮断状態に、前記第２モードでは導通状態に制御する
ことを特徴とする請求項１に記載の電源供給装置。
【請求項３】
前記制御手段は、前記第１モードから前記第２モードに切り換える時に、前記第１電圧生成手段が生成する前記第１電圧を前記第２電圧未満に制御し、所定の時間が経過した後に、前記切換手段を導通状態に制御する
ことを特徴とする請求項２に記載の電源供給装置。
【請求項４】
前記制御手段は、前記第１モードで前記第１電圧生成手段が生成する前記第１電圧を前記第２電圧以上の第３電圧に制御し、前記第１モードから前記第２モードに切り換える時に、前記第１電圧生成手段が生成する前記第１電圧を、前記第３電圧未満且つ前記第２電圧以上の電圧に制御した後、前記切換手段を導通状態に制御し、その後前記第１電圧生成手段が生成する前記第１電圧を前記第２電圧未満の電圧に制御する
ことを特徴とする請求項３に記載の電源供給装置。
【請求項５】
前記切換手段に供給されている電圧を検出する電圧検出手段を備え、
前記制御手段は、前記第１モードから前記第２モードに切り換える時に、前記第１電圧生成手段が生成する前記第１電圧を前記第２電圧未満に制御した後に、前記電圧検出手段が所定の電圧を検出した時に前記切換手段を導通状態に制御する
ことを特徴とする請求項２に記載の電源供給装置。
【請求項６】
前記第２電圧生成手段がスイッチングレギュレータであり、
前記第３電圧生成手段がシリーズレギュレータである
ことを特徴とする請求項１から５の何れか一項に記載の電源供給装置。
【請求項７】
請求項１から６の何れか一項に記載の電源供給装置を備えることを特徴とする画像形成装置。
【請求項８】
第１モードと第２モードとの何れかで負荷に電源を供給する電源供給方法であって、
外部電源から第１電圧を生成する第１電圧生成ステップと、
前記第１電圧が第２電圧以上の場合に、前記第１電圧生成ステップにて生成された前記第１電圧から所定の電圧を生成して前記負荷に供給する第２電圧生成ステップと、
第１電圧生成ステップにて生成された前記第１電圧から所定の電圧を生成して前記負荷に供給する第３電圧生成ステップと、を備え、
前記第１電圧生成ステップにて生成する前記第１電圧は、前記第１モードでは前記第２電圧以上で、前記第２モードでは前記第２電圧未満である
ことを特徴とする電源供給方法。
【発明の詳細な説明】
【技術分野】
【０００１】
本発明は、電源供給装置、画像形成装置及び電源供給方法に関する。
【背景技術】
【０００２】
近年の環境問題意識の高まりから、様々な機器に対して省電力化が求められており、各種規格においても省エネルギー状態の電力規制が強化されてきている。
【０００３】
各機器において省電力化を達成するための方法として、例えば待機中に使用されない電源系統の遮断、デバイス内部においても使用されない部分の停止、ネットワーク応答専用ＩＣを搭載してメインＣＰＵを停止する等が検討されている。
【０００４】
しかし、交流の商用電源等から直流電圧を生成する場合において、一般的には生成する直流電圧の値が低い程効率が低下する、という問題がある。したがって、各機器において待機中等に消費する電力を低減しても、省電力状態で負荷に供給する低電圧を生成する際の効率が低下するため、一概に省電力化を達成できたとはいえない場合がある。
【０００５】
そこで、例えば特許文献１には、スイッチングレギュレータとシリーズレギュレータとを並列に設け、通常動作時には効率の良いスイッチングレギュレータを使用し、負荷の小さい省電力モード時には内部で消費する電力量が小さいシリーズレギュレータを使用することで、省電力モード時における電力消費量を低減することが可能な電源供給装置が開示されている。
【発明の概要】
【発明が解決しようとする課題】
【０００６】
しかしながら、シリーズレギュレータは入力と出力との電圧差が大きい場合には、スイッチングレギュレータに比べて電力損失が大きいことから、例えば２４Ｖの入力電圧を５Ｖに変換して出力する様に入出力間電位差が大きい省電力モードの時には、シリーズレギュレータによる電力損失が増大し、電力消費量を低減できない場合がある。
【０００７】
本発明は上記に鑑みてなされたものであって、省電力状態において負荷に供給する電圧を効率良く生成することが可能な電源供給装置を提供することを目的とする。
【課題を解決するための手段】
【０００８】
本発明の一態様によれば、第１モードと第２モードとの何れかで負荷に電源を供給する電源供給装置であって、外部電源から第１電圧を生成する第１電圧生成手段と、前記第１電圧生成手段に接続され、前記第１電圧が第２電圧以上で動作して所定の電圧を生成して前記負荷に供給する第２電圧生成手段と、前記第１電圧生成手段に接続され、前記第１電圧から所定の電圧を生成して前記負荷に供給する第３電圧生成手段と、前記第１電圧生成手段が生成する前記第１電圧を、前記第１モードでは前記第２電圧以上に、前記第２モードでは前記第２電圧未満に制御する制御手段と、を備え、前記第１モードでは前記第２電圧生成手段及び前記第３電圧生成手段の少なくとも一方から前記負荷に電源を供給し、前記第２モードでは前記第３電圧生成手段から前記負荷に電源を供給する。
【発明の効果】
【０００９】
本発明の実施形態によれば、省電力状態において負荷に供給する電圧を効率良く生成することが可能な電源供給装置を提供することできる。
【図面の簡単な説明】
【００１０】
【図１】第１の実施形態に係る電源供給装置の概略構成を例示する図である。
【図２】第１の実施形態に係る電源供給装置における通常モードから省エネモードへの移行時の電源シーケンスを例示する図である。
【図３】第１の実施形態に係る電源供給装置における省エネモード時の電源供給状態を例示する図である。
【図４】第２の実施形態に係る電源供給装置の概略構成を例示する図である。
【図５】第２の実施形態に係る電源供給装置における通常モードから省エネモードへの移行時の電源シーケンスを例示する図である。
【図６】第３の実施形態に係る電源供給装置の概略構成を例示する図である。
【図７】第３の実施形態に係る電源供給装置における通常モードから省エネモードへの移行時の電源シーケンスを例示する図である。
【図８】第４の実施形態に係る電源供給装置の概略構成を例示する図である。
【図９】第４の実施形態に係る電源供給装置における通常モードから省エネモードへの移行時の電源シーケンスを例示する図である。
【発明を実施するための形態】
【００１１】
以下、図面を参照して発明を実施するための形態について説明する。各図面において、同一構成部分には同一符号を付し、重複した説明を省略する場合がある。
【００１２】
[第１の実施形態]
＜電源供給装置の構成＞
図１は、第１の実施形態に係る電源供給装置１の概略構成を例示する図である。
【００１３】
図１に示す様に、第１の実施形態に係る電源供給装置１は、不図示の感光体、露光装置、現像装置、定着装置等を備えて電子写真方式により用紙等の記録媒体にトナー画像を印刷する画像形成装置１００に設けられている。
【００１４】
電源供給装置１は、低圧電源２及び制御基板３を含んで構成されている。
【００１５】
低圧電源２は、外部電源である商用電源５０に接続し、画像形成装置１００の定着装置に設けられているハロゲンヒータ１９に交流電圧を供給し、制御基板３に直流電圧を生成して供給する。
【００１６】
低圧電源２は、ノイズフィルター５、ダイオードブリッジ６、アルミ電解コンデンサ７、トランス８、スイッチング用のＦＥＴ（Field effect transistor）９、ＦＥＴ９のスイッチングを制御する制御ＩＣ１０により、商用電源５０から入力される交流電圧を変換して直流電圧Vaを生成する。生成された電圧Vaは、電圧Vaを所定の電圧にフィードバック制御するフィードバック回路２１と、ＦＥＴ２０とを介して制御基板３に供給される。また、電圧Vaはスイッチングレギュレータ（ＤＣ／ＤＣ）１１を用いて電圧Vcに、シリーズレギュレータ（ＲＥＧ）２２を用いて電圧Vdにそれぞれ変換されて制御基板３に供給される。なお、スイッチングレギュレータ１１は、供給される電圧VaがVb以上の場合にのみ動作して電圧Vcを生成し、電圧VaがVb未満の場合には動作せず制御基板３への電源供給を停止する。また、電源供給装置１は、リレー１６及びトライアック１７を含む交流電圧供給部を有し、交流電圧供給部から画像形成装置１００のハロゲンヒータ１９に交流電圧を供給する。
【００１７】
制御基板３は、低圧電源２のフィードバック回路２１及びＦＥＴ２０から供給される電圧Vaをモータ、ファン等の電装品１２に、スイッチングレギュレータ１１及びシリーズレギュレータ２２から供給される電圧Vc又は電圧Vdをセンサ１３、操作パネル１８等に供給する。また、制御基板３に設けられているシリーズレギュレータ１４は、低圧電源２から供給される電圧から電圧Veを生成し、制御手段としてのＣＰＵ１５に電源を供給する。
【００１８】
ここで、電源供給装置１において、低圧電源２のフィードバック回路２１及びＦＥＴ２０から制御基板３に供給される電圧をV1、スイッチングレギュレータ１１から制御基板３に供給される電圧をV2、スイッチングレギュレータ１１又はシリーズレギュレータ２２から制御基板３に供給される電圧をV3とする。
【００１９】
第１の実施形態に係る電源供給装置１の低圧電源２では、画像形成装置１００の画像形成時等において、商用電源５０から生成する直流電圧Vaは24Vに設定されている。スイッチングレギュレータ１１が動作する電圧の閾値Vbは8Vであり、生成する直流電圧Vcは5Vである。また、シリーズレギュレータ２２が電圧Vaから生成する直流電圧Vdも5Vである。制御基板３のシリーズレギュレータ１４が、低圧電源２から供給された電源から生成してＣＰＵ１５に供給する直流電圧Veは3.3Vである。なお、低圧電源２の各部が生成する電圧Va〜Ve等は上記した値に限るものではなく、適宜設定することが可能である。
【００２０】
＜通常モードから省エネモードへの切換について＞
電源供給装置１は、画像形成装置１００の電装品１２、センサ１３、操作パネル１８等の各負荷に電源を供給する通常モードと、画像形成装置１００の一部の負荷にのみ電源を供給する省エネモードとを有する。
【００２１】
通常モードは、電源供給装置１から電装品１２、センサ１３、操作パネル１８、ハロゲンヒータ１９等に電源が供給され、画像形成装置１００が用紙等に画像を印刷できる状態である。また、省エネモードは、画像形成装置１００が一定時間以上使用されない待機時等に、電源供給装置１がジョブ要求やネットワーク応答に必要とされるＣＰＵ１５、操作パネル１８等の最小限の装置のみに電源を供給し、不使用部分への電源供給を遮断することで消費電力を抑えた状態である。
【００２２】
図２は、第１の実施形態に係る電源供給装置１における通常モードから省エネモードへの移行時の電源シーケンスを例示する図である。
【００２３】
第１の実施形態において、時間T0から時間T1までの通常モード時には、フィードバック回路２１が電圧Vaを24Vに制御し、ＦＥＴ２０が制御基板３に24Vを供給する（Va=V1=24V）。また、スイッチングレギュレータ１１及びシリーズレギュレータ２２は、それぞれ入力される電圧24Vから5Vを生成して制御基板３に供給する（Vc=Vd=V2=V3=5V）。
【００２４】
時間T1における通常モードから省エネモードへの移行時には、ＣＰＵ１５からＦＥＴ２０に制御信号２３が送信され、ＦＥＴ２０により制御基板３への電源供給が遮断される。また、ＣＰＵ１５はフィードバック回路２１にも制御信号２３を送信し、フィードバック制御回路２１はスイッチングレギュレータ１１及びシリーズレギュレータ２２に供給される電圧Vaを24Vから5.5Vに制御する。
【００２５】
したがって、図２に示す様に、時間T1で電圧V1が遮断され（V1=24V→0V）、電圧Vaが24Vから徐々に低下していく。また、スイッチングレギュレータ１１は、入力電圧が8V以上で動作し、入力電圧が8V未満では停止するため、電圧Vaが徐々に低下して時間T2にて電圧Vaが8Vを下回った時点で、スイッチングレギュレータ１１からの電力供給が停止する（Vc=V2=5V→OV）。
【００２６】
シリーズレギュレータ２２は通常モード時から動作し続け、スイッチングレギュレータ１１が動作を停止する時間Ｔ２以降の省エネモードでは、シリーズレギュレータ２２のみから制御基板３への電源供給が行われる。ここで、電圧Vaは最終的に5.5Vになり、シリーズレギュレータ２２は5.5Vから5Vを生成することとなる。この様に、省エネモード時にシリーズレギュレータ２２に入力する電圧を低く制御することで、シリーズレギュレータ２２における電力損失を低減できる。また、シリーズレギュレータ２２の入出力間電圧差を小さくすることで、効率良く電源を供給できる。
【００２７】
また、通常モードから省エネモードに移行する時間T1にて、低圧電源２はリレー１６を遮断することで、画像形成装置１００のハロゲンヒータ１９への電源供給を停止する。
【００２８】
図３は、第１の実施形態に係る電源供給装置１における省エネモード時の電源供給状態を例示する図である。
【００２９】
図３に示す様に、画像形成装置１００の省エネモード時には、低圧電源２のＦＥＴ２０及びスイッチングレギュレータ１１から制御基板３への電力供給、低圧電源２から定着装置のハロゲンヒータ９への電源供給が遮断される。したがって、制御基板３から電装品１２及びセンサ１３への電源供給等が遮断されて消費電力量が低減され、待機時に必要とされるＣＰＵ１５及び操作パネル１８等の最小限の装置にのみ電源が供給されることとなる。
【００３０】
以上で説明した様に、通常モードでは、電源供給装置１から電装品１２、センサ１３、操作パネル１８、ハロゲンヒータ１９等の各負荷に電源を供給し、省エネモードでは、電源供給装置１の制御基板３が低圧電源２のシリーズレギュレータ２２から供給される電源を、ＣＰＵ１５及び操作パネル１８にのみ供給する。
【００３１】
省エネモード時には、スイッチングレギュレータ１１及びシリーズレギュレータ２２に入力する電圧を下げることで、スイッチングレギュレータ１１を停止させ、シリーズレギュレータ２２のみを動作させる。この時、シリーズレギュレータ２２に入力する電圧を低く制御し、シリーズレギュレータ２２の入出力間電圧差を小さくすることで、効率良く電源を供給することが可能になる。したがって、第１の実施形態に係る電源供給装置１によれば、省エネモード時の消費電力量をより低減することが可能である。
【００３２】
なお、ＣＰＵ１５からの制御信号２３に基づいてフィードバック回路２１が電圧Vaの設定を変更しなくとも、予め省電力モード時における制御ＩＣ１０によるスイッチングの制御周波数を決めておき、ＣＰＵ１５からの制御信号２３により制御ＩＣ１０を省電力モードに切り換えても良い。また、電源供給装置１は、画像形成装置１００に限らず、他の電気機器等に搭載することも可能である。
【００３３】
[第２の実施形態]
次に、第２の実施形態について図面に基づいて説明する。なお、既に説明した実施形態と同一構成部分についての説明は省略する。
【００３４】
図４は、第２の実施形態に係る電源供給装置１の概略構成を例示する図である。第２の実施形態に係る電源供給装置１は、トランス８とシリーズレギュレータ２２との間にＦＥＴ２５を備える点で、第１の実施形態とは異なっている。
【００３５】
ＦＥＴ２５は、ＣＰＵ１５からの制御信号２４に基づいて、通常モード時にはトランス８とシリーズレギュレータ２２との間を遮断状態に、省エネモードでは導通状態に切り換える。
【００３６】
図５は、第２の実施形態に係る電源供給装置１における通常モードから省エネモードへの移行時の電源シーケンスを例示する図である。
【００３７】
時間T0から時間T1までの通常モード時では、フィードバック回路２１が電圧Vaを24Vに制御し、ＦＥＴ２０が制御基板３に24Vを供給する（Va=V1=24V）。また、スイッチングレギュレータ１１は、入力される24Vから5Vを生成して制御基板３に供給する（Vc=V2=V3=5V）。この間、ＦＥＴ２５は遮断状態に制御されるため、シリーズレギュレータ２２が出力する電圧Vdは0Vである。
【００３８】
通常モードから省エネモードに移行する時間T2にて、ＣＰＵ１５からＦＥＴ２０に制御信号２３が送信され、ＦＥＴ２０が制御基板３への電源供給を遮断する（V1=24V→0V）。また、ＣＰＵ１５はフィードバック回路２１にも制御信号２３を送信し、フィードバック制御回路２１が電圧Vaを24Vから5.5Vに制御する。
【００３９】
さらに、ＣＰＵ１５は、ＦＥＴ２５を導通状態にする制御信号２４を送信する。FET２５が導通状態になることで、シリーズレギュレータ２２が制御基板３への電源供給を開始する（Vd=0V→5V）。ここで、ＣＰＵ１５は、制御信号２４を制御信号２３と同時に送信しても良いが、制御信号２３から例えば10ms等の所定の時間が経過した後に制御信号２４を送信することが好ましい。シリーズレギュレータ２２に入力される最大電圧を下げることで、入力最大電圧が低い、安価なシリーズレギュレータ２２を用いることが可能になり、電源供給装置１の部品コストを低減できる。
【００４０】
時間T1以降、電圧Vaは24Vから徐々に低下していく。ここで、スイッチングレギュレータ１１は、入力電圧が8V以上で動作し、入力電圧が8V未満では停止するため、電圧Vaが徐々に低下して時間T3にて電圧Vaが8Vを下回った時点で、スイッチングレギュレータ１１からの電力供給が停止する（V2=Vc=5V→OV）。電圧Vaは時間T3以降で5.5Vに達し、シリーズレギュレータ２２が5.5Vから5Vを生成して制御基板３に電源を供給する。
【００４１】
この様に、第２の実施形態によれば、通常モードにおいてフィードバック回路２１及びＦＥＴ２０からV1（24V）、スイッチングレギュレータ１１からV2（5V）,V3（5V）を制御基板３に供給する。制御基板３は、これらの入力された電圧から電装品１２、センサ１３、操作パネル１８に電源を供給する。通常モードでは、シリーズレギュレータ２２はＦＥＴ２５により遮断されて動作しないため、通常モード時におけるシリーズレギュレータ２２での電力損失を防止できる。
【００４２】
また、省エネモードでは、シリーズレギュレータ２２からV3（5V）のみを制御基板３に供給し、制御基板３はＣＰＵ１５及び操作パネル１８に電源を供給する。この時、ＣＰＵ１５の制御信号２３に基づくフィードバック回路２１による電圧Vaの制御から、所定の時間が経過した後にシリーズレギュレータ２２に電圧Vaが入力される様にＦＥＴ２５を制御する。この様な制御により、シリーズレギュレータ２２に入力される最大電圧を下げ、入力最大電圧が低い、安価なシリーズレギュレータ２２を用いることが可能になる。
【００４３】
[第３の実施形態]
次に、第３の実施形態について図面に基づいて説明する。なお、既に説明した実施形態と同一構成部分についての説明は省略する。
【００４４】
図６は、第３の実施形態に係る電源供給装置１の概略構成を例示する図である。第３の実施形態に係る電源供給装置１は、ＣＰＵ１５が制御信号２４によりフィードバック回路２１及びＦＥＴ２５を制御する点で、第２の実施形態と異なっている。
【００４５】
図７は、第３の実施形態に係る電源供給装置１における通常モードから省エネモードへの移行時の電源シーケンスを例示する図である。
【００４６】
時間T0から時間T1までの通常モード時では、フィードバック回路２１が電圧Vaを24Vに制御し、ＦＥＴ２０が制御基板３に24Vを供給する（Va=V1=24V）。また、スイッチングレギュレータ１１は、入力される24Vから5Vを生成して制御基板３に供給する（Vc=V2=V3=5V）。この間、ＦＥＴ２５は遮断状態に制御されるため、シリーズレギュレータ２２が出力する電圧Vdは0Vである。
【００４７】
通常モードから省エネモードに移行する時間T1に、ＣＰＵ１５からＦＥＴ２０に制御信号２３が送信され、ＦＥＴ２０により制御基板３への電源供給が遮断される（V1=24V→0V）。また、ＣＰＵ１５はフィードバック回路２１にも制御信号２３を送信し、フィードバック制御回路２１がスイッチングレギュレータ１１及びシリーズレギュレータ２２に供給される電圧Vaを、まず24Vから9Vに制御する。
【００４８】
次に、時間T1にて制御信号２３が送信されてから十分な時間が経過して電圧Vaが9Vになった時間T2にて、ＣＰＵ１５がフィードバック回路２１に制御信号２４を送信し、フィードバック回路２１が電圧Vaを、9Vから5.5Vに制御する。また、ＣＰＵ１５は同時にＦＥＴ２５にも制御信号２４を送信し、ＦＥＴ２５を導通状態に制御する（Vd=0V→5V）。
【００４９】
時間T2から電圧Vaが徐々に低下し、時間T3にて電圧Vaが8Vを下回った時にスイッチングレギュレータ１１が停止する（Vc=V2=5V→0V）。
【００５０】
時間T3以降に、電圧Vaは5.5Vになり、シリーズレギュレータ２２が5.5Vから5Vを生成して制御基板３に電源を供給する（Vd=V3=5V）。
【００５１】
第３の実施形態では、通常モードから省エネモードへの切り換え時に、電圧Vaをまず24Vから9Vに制御し、十分な時間が経過して電圧Vaが9Vに制御された後に、ＦＥＴ２５を導通状態に制御するすると共に、電圧Vaを9Vから5.5Vに制御する。この様な制御により、シリーズレギュレータ２２に入力される電圧を低くすることができる。したがって、シリーズレギュレータ２２に入力最大電圧が低い、安価な部品を用いることが可能になる。また、シリーズレギュレータ２２による制御基板３への電源供給が開始された後に、スイッチングレギュレータ１１による電源供給が遮断される。このため、制御基板３への電源供給を途絶えることなく継続して行うことができる。
【００５２】
[第４の実施形態]
次に、第４の実施形態について図面に基づいて説明する。なお、既に説明した実施形態と同一構成部分についての説明は省略する。
【００５３】
図８は、第４の実施形態に係る電源供給装置１の概略構成を例示する図である。第４の実施形態に係る電源供給装置１は、シリーズレギュレータ２２に入力される電圧Vaを検出する電圧検出回路２６を備え、ＣＰＵ１５が電圧検出回路２６の電圧検出結果に基づいて制御信号２４を送信する点で、第２の実施形態とは異なっている。
【００５４】
電圧検出回路２６は、トランス８とシリーズレギュレータ２２との間に設けられ、シリーズレギュレータ２２に入力される電圧Vaを検出する回路である。ＣＰＵ１５は、所定の周期で電圧検出結果を取得する。
【００５５】
図９は、第４の実施形態に係る電源供給装置１における通常モードから省エネモードへの移行時の電源シーケンスを例示する図である。
【００５６】
時間T0から時間T1までの通常モード時では、フィードバック回路２１が電圧Vaを24Vに制御し、ＦＥＴ２０が制御基板３に24Vを供給する（Va=V1=24V）。また、スイッチングレギュレータ１１は、入力される24Vから5Vを生成して制御基板３に供給する（Vc=V2=V3=5V）。この間、ＦＥＴ２５が遮断状態に制御されるため、シリーズレギュレータ２２が出力する電圧Vdは0Vである。
【００５７】
通常モードから省エネモードに移行する時間T1に、ＣＰＵ１５からＦＥＴ２０に制御信号２３が送信され、ＦＥＴ２０により制御基板３への電源供給が遮断される（V1=24V→0V）。また、ＣＰＵ１５はフィードバック回路２１にも制御信号２３を送信し、フィードバック制御回路２１が電圧Vaを24Vから5.5Vに制御する。
【００５８】
次に、電圧検出回路２６がシリーズレギュレータ２２に入力される電圧Vaが9Vになったことを検出した時間T2にて、ＣＰＵ１５が制御信号２４を送信してＦＥＴ２５を導通状態に制御する（Vd=0V→5V）。その後、時間T2から電圧Vaが徐々に低下し、時間T3にて電圧Vaが8Vを下回った時にスイッチングレギュレータ１１が停止する（Vc=V2=5V→0V）。
【００５９】
時間T3以降に、電圧Vaは5.5Vになり、シリーズレギュレータ２２が5.5Vから5Vを生成して制御基板３に電源を供給する（Vd=V3=5V）。
【００６０】
この様に、第４の実施形態では、通常モードから省エネモードへの切り換えにおいて、電圧検出回路２６が電圧Vaを検出し、電圧Vaが所定の電圧（9V）に達した時に、ＦＥＴ２５を導通状態に制御する。この様な制御により、シリーズレギュレータ２２に入力される電圧を所定の電圧以下にすることができる。したがって、シリーズレギュレータ２２に、入力最大電圧が低い、安価な部品を用いることが可能になる。また、シリーズレギュレータ２２による制御基板３への電源供給が開始された後に、スイッチングレギュレータ１１による電源供給が遮断される。このため、制御基板３への電源供給を途絶えることなく継続して行うことができる。
【００６１】
以上、本発明の実施形態について説明したが、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００６２】
１  電源供給装置
５  ノイズフィルター（第１電圧生成手段）
６  ダイオードブリッジ（第１電圧生成手段）
７  アルミ電解コンデンサ（第１電圧生成手段）
８  トランス（第１電圧生成手段）
１１  スイッチレギュレータ（第２電圧生成手段）
１２  シリーズレギュレータ（第３電圧生成手段）
１２  電装品（負荷）
１３  センサ（負荷）
１８  操作パネル（負荷）
１９  ハロゲンヒータ（負荷）
１５  ＣＰＵ（制御手段）
２５  ＦＥＴ（切換手段）
２６  電圧検出回路（電圧検出手段）
５０  主電源（外部電源）
１００  画像形成装置
【先行技術文献】
【特許文献】
【００６３】
【特許文献１】特開２００４−８８８５３号公報
【図１】
2013176245.tif 000003
【図２】
2013176245.tif 000004
【図３】
2013176245.tif 000005
【図４】
2013176245.tif 000006
【図５】
2013176245.tif 000007
【図６】
2013176245.tif 000008
【図７】
2013176245.tif 000009
【図８】
2013176245.tif 000010
【図９】
2013176245.tif 000011